(57)【特許請求の範囲】
【請求項１】
光ディスクに記録された情報を再生する光ディスク再生装置であって、
コンテンツが保存されたコンテンツサーバとネットワークを介して接続されるインタフェースと、
前記インタフェースを介して前記コンテンツサーバからダウンロードされたコンテンツ及び当該コンテンツに付されている属性情報を記憶するコンテンツ記憶部と、
光ディスクの種類を判別し光ディスクに記録された情報を読み取る読み取り部と、
光ディスクのローディングの間、前記光ディスクの種類と関連づけられた属性情報に基づいて前記読み取り部によって判別された光ディスクの種類に応じて前記コンテンツ記憶部のコンテンツを選択し再生するよう制御するシステムコントローラと、
を備える、ことを特徴とする光ディスク再生装置。
【請求項２】
請求項１に記載の光ディスク再生装置であって、
前記コンテンツは、宣伝用コンテンツから構成される、ことを特徴とする光ディスク再生装置。
【発明の詳細な説明】
【技術分野】
【０００１】
本発明は、光ディスクに記録された音声信号や映像信号を再生する再生装置の技術に関する。
【背景技術】
【０００２】
ＣＤ（Compact Disc）、ＤＶＤ（Digital Versatile Disc）、ＢＤ（Blu-ray Disc）、ＨＤ（High Definition）−ＤＶＤ等は、音声信号や映像信号を記録した光ディスクである。これら光ディスクを再生する再生装置は、まず光ディスク内のＴＯＣ（Table Of Contents）情報を読み取る処理（ローディング）を行う必要がある。ローディング後に、再生装置はディスク内の音声・映像信号を再生することが出来る。
【０００３】
ローディングには、多い場合には数十秒の時間を要する。その間、操作者はローディングを待ち続けることとなる。これは操作者にとって大変煩わしいことである。特にＢＤ、ＨＤ−ＤＶＤ等の次世代光ディスクのローディングの場合、ＤＶＤ、ＣＤよりも長い時間を費やすのが現状である。更に、ＢＤ、ＨＤ−ＤＶＤ両対応の再生装置の場合、ディスク種別を判別する為に更に長い時間を要すると考えられる。
【０００４】
この待ち時間による煩わしさを軽減する手段がこれまでに提案されている。例えば特許文献１では、複数個のセグメント表示器を用いて、ディスク情報の読み取り段階に応じてセグメントを順次点灯させることにより、ローディングの進行状況を操作者に明示する。
また特許文献２では、デジタル放送において電源投入時およびチャンネル切替時に要する待ち時間中に、保留音を出力したり、番組内容を表示する。
また特許文献３では、通信カラオケ装置において電源投入時およびデータペースとの通信時間中に寸劇、ニュース等を再生する。
【０００５】
【特許文献１】特開２００４一２５９３３４号公報
【特許文献２】特開２００１一７７２２号公報
【特許文献３】特開平９一３４４７８号公報
【発明の開示】
【発明が解決しようとする課題】
【０００６】
特許文献１は、セグメント表示器を用いた単純な表示であり、操作者にローディング中であることを明示あるいはローディング進行状況を示すのみのものである。これは操作者が感じる煩わしさをあまり軽減できない。
また、特許文献２は、ローディング中に単純な保留音および番組内容を示したテキスト情報を表示するのみである。これは操作者が感じる煩わしさをあまり軽減できない。
特許文献３は、特許文献１、特許文献２のような単純なコンテンツとは異なり、操作者がそのコンテンツに対して意識が傾くようなコンテンツを再生する。しかしローディング後に再生される挿入ディスクのコンテンツと一致しないことがあり、一致しない場合に違和感を感じうる。
本発明は、上記従来技術における問題点を解決することを目的とする。
【課題を解決するための手段】
【０００７】
上記目的を達成するため、本発明の第１の態様における光ディスク再生装置は、
光ディスクに記録された情報を再生する光ディスク再生装置であって、
コンテンツが保存されたコンテンツサーバとネットワークを介して接続されるインタフェースと、
前記インタフェースを介して前記コンテンツサーバからダウンロードされたコンテンツを記憶するコンテンツ記憶部と、
光ディスクの種類を判別し、かつ、光ディスクに記録された情報を読み取る読み取り部と、
光ディスクのローディングの間、前記読み取り部が判別した光ディスクの種類に応じた前記コンテンツ記憶部のコンテンツを再生するよう制御するシステムコントローラと、
を備える。
【０００８】
上記構成において、例えば、前記コンテンツにはその内容を表す属性情報が付され、
前記システムコントローラは、光ディスクの種類と関連づけられた前記属性情報に基づいて、判別された光ディスクの種類に応じた前記コンテンツ記憶部の任意のコンテンツを再生するよう制御する。
前記コンテンツは、例えば、宣伝用コンテンツから構成される。
【０００９】
上記目的を達成するため、本発明の第２の態様における光ディスク再生方法は、
光ディスクに記録された情報を再生する光ディスク再生方法であって、
コンテンツが保存されたコンテンツサーバからネットワークを介してダウンロードしたコンテンツを記憶し、
光ディスクの種類を判別し、かつ、光ディスクに記録された情報を読み取り、
光ディスクのローディングの間、判別された光ディスクの種類に応じた記憶コンテンツを再生する。
【００１０】
上記方法において、例えば、前記コンテンツにはその内容を表す属性情報が付され、
光ディスクの種類と関連づけられた前記属性情報に基づいて、判別された光ディスクの種類に応じた前記コンテンツ記憶部の任意のコンテンツを再生する。
前記コンテンツは、例えば、宣伝用コンテンツから構成される。
【発明の効果】
【００１１】
本発明の光ディスク再生装置によれば、ローディングの待ち時間に、光ディスクの種類に応じたコンテンツを選択し再生することができ、操作者が感じる煩わしさを軽減することができる。
【発明を実施するための最良の形態】
【００１２】
本発明に係る実施の形態について、以下、図面を参照して詳細に説明する。なお、以下に示す実施の形態は一例であり、これに限定されない。
【００１３】
図１は、本実施の形態に係る光ディスク再生装置１０のブロック図を示す。図1に示すように、光ディスク再生装置１０は、システムコントローラ１２と、ターンテーブル１４と、スピンドルモータ１６と、ピックアップ１８と、サーボ制御部２０と、信号処理部２２と、メモリ制御部２４と、ＲＡＭ（Random Access Memory）２６と、出力部２８と、操作部３０と、インタフェース３２と、コンテンツ記憶部３４と、を備える。
【００１４】
システムコントローラ１２は、光ディスク再生装置１０の動作を統括的に制御する。
【００１５】
スピンドルモータ１６に固定されたターンテーブル１４は、光ディスク１１を装着する。サーボ制御部２０は、スピンドルモータ１６を所定の線速度で回転駆動させる制御をする。
ピックアップ１８は、図示しないレーザダイオード、対物レンズ等を備える。光ディスク１１に所定波長のレーザ光を照射し、反射光を解析する。
サーボ制御部２０は、ピックアップ１８からのレーザ光が光ディスク１１のピット列に正しく追随し、ピット上に合焦するように、図示しないフォーカスサーボ回路とトラッキングサーボ回路を制御する。
また、サーボ制御部２０は、光ディスク１１のＴＯＣ情報の読み取り（ローディング）、光ディスク１１の種類の判別を行う。
【００１６】
ピックアップ１８は、少なくとも、ＤＶＤ読み取り用、ＣＤ読み取り用の２種類が設けられている。他に、ＢＤ、ＨＤ−ＤＶＤ読み取り用のピックアップが設けられていても良い。
まず、ＤＶＤ読み取り用のピックアップ１８からレーザ光を照射する。ＤＶＤと判断した場合、ＤＶＤのローディングが行われる。ＤＶＤでないと判断した場合、次にＣＤ読み取り用のピックアップ１８からレーザ光を照射するＣＤと判断した場合、ＣＤのローディングが行われる。ＣＤでないと判断した場合、光ディスク再生装置１０では対応しない光ディスク１１が載置されたと判断され、一連のディスクの読み取り処理が停止される。
【００１７】
信号処理部２２には、ピックアップ１８が読み取ったデジタルデータが、再生アンプ１９により波形整形及び増幅されて入力される。信号処理部２２は、光ディスク１１から読み取られたデジタルデータの復調、フォーカスエラー信号やトラッキングエラー信号等のエラー信号、同期信号の抜き出し等を行う。
【００１８】
メモリ制御部２４は、信号処理部２２から入力されたデジタルデータをＲＡＭ２６に入力し、ＲＡＭ２６は、入力されたデジタルデータを記憶する。また、メモリ制御部２４は、ＲＡＭ２６から記憶されたデータを出力するよう制御する。
【００１９】
出力部２８は、メモリ制御部２４から入力されたデータを所定の形式に変換して出力する。出力部２８は、例えば出力形式がアナログ機器の場合にはデータをアナログ音声信号及びアナログ映像信号に変換して出力する。あるいは、出力部２８は、デジタル形式である場合には、データを所定のデジタルフォーマットに変換して出力する。
【００２０】
操作部３０は、操作パネル、リモートコントローラ等を備え、光ディスク１１に記録されている音声・映像データの再生等、操作者が再生装置に所望通りに動作させるための操作を行うためのものである。
【００２１】
インタフェース３２は、インターネット等の外部ネットワークに接続可能なインタフェースを構成する。図２に示すように、光ディスク再生装置１０は、ネットワーク４０を介して、コンテンツサーバ５０に接続される。
【００２２】
コンテンツサーバ５０は、様々な音楽・映像コンテンツを保存する。コンテンツサーバ５０には、近日公開される映画の予告コンテンツ、近日発売される映画の宣伝コンテンツ、近日発売される音楽の宣伝コンテンツ等であり、最新の情報が定期的に更新される。コンテンツサーバ５０は、例えば、光ディスク再生装置１０の製造者が提供する。
【００２３】
コンテンツには、それぞれ属性情報が付され、本例においては、近日公開される映画の予告コンテンツには映画関連であることを示す情報が、近日発売される音楽の宣伝コンテンツには音楽関連であることを示す情報が、それぞれ付されている。
【００２４】
図1に戻り、コンテンツ記憶部３４は、コンテンツサーバ５０からダウンロードされた音楽・映像コンテンツが記録される。また、コンテンツ記録部にダウンロードされたコンテンツの音声・映像データは信号処理部２２に転送され、システムコントローラ１２の制御の下、ＲＡＭ２６への書き込み、読み出しがなされて出力される。
【００２５】
光ディスク再生装置１０は上述したように構成されている。以下において、光ディスク再生装置１０にＤＶＤディスク、ＣＤディスクを挿入した場合のそれぞれの動作フローを図３を参照して説明する。
尚、以下に示す実施例では、ＤＶＤディスクをローディング中の場合は近日公開される映画の予告コンテンツ、ＣＤディスクをローディング中の場合は近日発売される音楽の宣伝コンテンツを再生するものとするが、これに限られない。
【００２６】
また、本実施例では、光ディスク再生装置１０の電源投入時にシステムコントローラ１２がコンテンツサーバ５０に対して、コンテンツサーバ５０の音楽・映像コンテンツをダウンロードするよう命令し、ダウンロードされたコンテンツをコンテンツ記憶部３４に格納する処理を行うものとする。しかし、コンテンツのダウンロードは、定期的に行われるなど任意である。
【００２７】
まず、ＤＶＤディスクがターンテーブル１４に載置された時（ステップＳ１１）、サーボ制御部２０は光ディスク１１のＴＯＣ情報の読み取り（ローディング）を開始するよう制御する（ステップＳ１２）。そしてサーボ制御部２０はディスクの種類の判別処理を行う（ステップＳ１３）。ＤＶＤディスクと判別したとき、サーボ制御部２０は“ローディング状態である”旨の情報と、“挿入ディスクがＤＶＤディスクである”旨の情報を、システムコントローラ１２に通知する。
【００２８】
同様に、ＣＤディスクが載置されたときには、サーボ制御部２０は“ローディング状態である”旨の情報と、“挿入ディスクがＣＤディスクである”旨の情報を、システムコントローラ１２に通知する。
【００２９】
システムコントローラ１２は、サーボ制御部２０から受け取った、載置された光ディスク１１の判別情報に基づいて、ローディングの間、光ディスク１１の種類に応じて異なったコンテンツを再生する。詳細には、システムコントローラ１２は、光ディスク１１の種類とコンテンツの属性情報とを関連づけて記憶しており、判別された光ディスク１１の種類に応じたコンテンツの属性情報を選択する。次いで、システムコントローラ１２は、選択した属性情報と一致するコンテンツ記憶部３４の任意のコンテンツを選択する。
【００３０】
例えば、システムコントローラ１２はサーボ制御部２０から“ローディング状態である”旨の情報と“挿入ディスクがＤＶＤディスクである”旨の情報を受信した時、コンテンツ記憶部３４に対して、コンテンツ記憶部３４に記録されている“近日公開される映画の予告コンテンツ”を任意に選択し、そのコンテンツの音声・映像データを信号処理部２２に転送する命令を行う（ステップＳ１４）。
【００３１】
一方、システムコントローラ１２はサーボ制御部２０から“挿入ディスクがＣＤディスクである”旨の情報を受信した時、コンテンツ記憶部３４に対して、コンテンツ記憶部３４に記録されている“近日発売される音楽の宣伝コンテンツ”を任意に選択し、そのコンテンツの音声・映像データを信号処理部２２に転送する命令を行う（ステップＳ１４）。
【００３２】
なお、システムコントローラ１２は、光ディスク１１の種類とコンテンツの属性情報とを関連づけて記憶するとしたが、関連を示すテーブルをコンテンツ記憶部３４に記憶させ、当該テーブルを参照するようにしても良い。
【００３３】
その後、光ディスク１１のローディングが完了するまでの間、コンテンツ記憶部３４に保存された、光ディスク１１の種類に応じたコンテンツが再生される。ローディングには例えば数十秒を要し、操作者は、その間コンテンツの映像・音声を視聴することとなる。ここで、例えば、コンテンツは、一般的な１５秒程度のコマーシャル映像・音声から構成される。
【００３４】
このように、挿入した光ディスク１１の種類に応じて、ローディング完了までに再生するコンテンツを自動的に選択・再生することで、操作者はその再生コンテンツに対して、より意識が傾き、待ち時間による煩わしさをより軽減できる。
【００３５】
システムコントローラ１２は、サーボ制御部２０から“ローディングが完了した”旨の通知を受けた時、コンテンツ記憶部３４に記録されたコンテンツの音声・映像ファイルの再生を終了する（ステップＳ１６）。或いは、コンテンツの再生終了後を待っても良い。その後、光ディスク１１に記録されている音声・映像データを再生する（ステップＳ１７）。
【００３６】
以上説明したように、本実施の形態では、光ディスク１１が載置され、ローディングされる間、光ディスク１１の種類に応じた広告等のコンテンツが再生される。
【００３７】
例えば、ＢＤ、ＤＶＤのディスクを再生装置に挿入した時、操作者は映画に関して意識があると思われる。そこで、近日公開される映画の予告コンテンツ、近日発売される映画の宣伝コンテンツ等をディスク挿入後のローディング中に再生する。
【００３８】
また、同様に例えばＳＡＣＤ、ＣＤのディスクを挿人した時、音楽に関して意識があると思われる。そこで、近日発売される音楽の宣伝コンテンツ等をディスク挿入後のローディング中に再生する。
【００３９】
このため、操作者は、ローディングの間を無為に過ごすことなく、コンテンツに気持ちを傾けることができる。また、このコンテンツは、操作者が載置した光ディスク１１の種類に応じた内容であるため、操作者はより気持ちを傾け、待ち時間による煩わしさを回避することができる。
【００４０】
上記実施の形態は一例であり、当業者に自明な範囲において種々の変更、修正が可能である。
例えば、上記実施の形態では、コンテンツは広告用コンテンツである例について説明したが、これに限らず、コンテンツは、商業的でないフリー動画等いかなるもの内容のものであっても良い。
【図面の簡単な説明】
【００４１】
【図１】本発明の実施の形態にかかる光ディスク再生装置の構成を示すブロック図である。
【図２】本発明の実施の形態にかかる光ディスク再生装置とコンテンツサーバ５０との接続を示す図である。
【図３】本発明の実施の形態にかかる光ディスク再生装置の光ディスク１１ローディング時の動作説明するフロー図である。
【符号の説明】
【００４２】
１０：光ディスク再生装置、１２：システムコントローラ、１４：ターンテーブル、１６：スピンドルモータ、１８：ピックアップ、２０：サーボ制御部、２２：信号処理部、２４：メモリ制御部、２６：ＲＡＭ、２８：出力部、３０：操作部、３２：インタフェース、３４：コンテンツ記憶部、４０：ネットワーク、５０：コンテンツサーバ
【図１】
0004933468.tif 000002
【図２】
0004933468.tif 000003
【図３】
0004933468.tif 000004